(57)【要約】【課題】  低コストで、高効率高均一な偏光照明装置及びそれを用いた投射型表示装置を提案することである。【解決手段】  片側が平面で、もう一方が角度９０度の屋根型形状が前記平面と平行に複数個配列して形成された第１の透明体と、片側が正の屈折力を有するレンズ面で、もう一方が角度９０度の屋根型形状が複数個並列に形成された第２の透明体とを屋根型形状が互いに向かい合うように接合して形成され、第１の偏光分離透明体の屋根型形状側の面には偏光分離膜が形成されている。【選択図】        図１
2005084398.tif 000002
【特許請求の範囲】
【請求項１】
偏光方向がランダムな光を出射する、反射鏡を備えた光源部と、
矩形状の外形を有する複数の矩形集光レンズから構成され、前記光源部から出射される光を複数の光束に分割し、集光して複数の２次光源像を形成するための第１のレンズアレイと、
前記複数の２次光源像が形成される位置の近傍に配置され、前記複数の光束をそれぞれ集光する第２のレンズアレイと、
前記複数の２次光源像を一つの照明領域に重ね合わせるとともに、前記偏光方向がランダムな光を偏光方向の異なる２つの直線偏光に分離し、かつ、一方の直線偏光の偏光方向を他方の直線偏光の偏光方向に揃えて合成する第３のレンズ板とを有し、
前記第２のレンズアレイは、前記複数の第２次光源像の各々に対応する複数の矩形状集光レンズを配列した集光レンズアレイであり、
前記第３のレンズ板は、前記第２のレンズアレイの各集光レンズに対応するように配列された複数のスリットを有する反射板と、この反射板におけるスリット間の反射部を覆う１／４波長板と、光束を異なる２つの直線偏光に分離する偏光分離透明体と、該偏光分離透明体と接合して形成する出射レンズとをこの順に光の入射側から配置し、
前記偏光分離透明体は、片側が平面で、もう一方が角度９０度の屋根型形状が前記平面と平行に連続して複数個並列に配置して形成され、前記出射レンズは、片側が正の屈折力を有するレンズ面で、もう一方が前記偏光分離透明体の屋根型形状と同一形状の角度９０度の屋根型形状が連続して複数個並列に配置して形成されたレンズであり、前記偏光分離透明体の屋根型形状の表面部と前記出射レンズの屋根型形状の表面部のいずれか一方には、光束を異なる２つの直線偏光に分離する偏光分離手段としての光学部材が形成されており、前記偏光分離透明体と前記出射レンズはそれぞれの屋根型形状が互いに向かい合って噛み合うように接合して構成されていることを特徴とする偏光照明装置。
【請求項２】
偏光方向がランダムな光を出射する、反射鏡を備えた光源部と、
矩形状の外形を有する複数の矩形集光レンズから構成され、前記光源部から出射される光を複数の光束に分割し、集光して複数の２次光源像を形成するための第１のレンズアレイと、
前記複数の２次光源像が形成される位置の近傍に配置され、前記複数の光束をそれぞれ集光する第２のレンズアレイと、
前記複数の２次光源像を一つの照明領域に重ね合わせるとともに、前記偏光方向がランダムな光を偏光方向の異なる２つの直線偏光に分離し、かつ、一方の直線偏光の偏光方向を他方の直線偏光の偏光方向に揃えて合成する第３のレンズ板とを有し、
前記第２のレンズアレイは、前記複数の第２次光源像の各々に対応する複数の矩形状集光レンズを配列した集光レンズアレイであり、
前記第３のレンズ板は、前記第２のレンズアレイの各集光レンズに対応するように配列された複数のスリットを有する反射板と、この反射板におけるスリット間の反射部を覆う１／４波長板と、光束を異なる２つの直線偏光に分離する偏光分離透明体と、該偏光分離透明体と離れた位置に配置される出射レンズとを、この順に光の入射側から配置し、
前記偏光分離透明体は、両方の面が角度９０度の屋根型形状が連続的に複数個並列に配置して形成された同一形状で、互いに平行であり、入射側の屋根型形状の表面部には、光束を異なる２つの直線偏光に分離する偏光分離手段としての光学部材が形成されており、前記出射レンズは正の屈折力を有していることを特徴とする偏光照明装置。
【請求項３】
前記偏光分離透明体は、厚さをｔ、屈折率をｎ、屋根型形状のピッチ幅をＰとするとき、
2005084398.tif 000009
を満足することを特徴とする請求項２に記載の偏光照明装置。
【請求項４】
前記偏光分離手段としての光学部材は、偏光分離膜であることを特徴とする請求項１ないし３のいずれかに記載の偏光照明装置。
【請求項５】
前記偏光分離手段としての光学部材は、偏光分離フィルムであることを特徴とする請求項１ないし３のいずれかに記載の偏光照明装置。
【発明の詳細な説明】
【技術分野】
【０００１】
本発明は偏光照明装置及びそれを用いた投射型液晶表示装置に関し、特に偏光方向を揃えた偏光光を用いて矩形の照明領域などを均一に照明する偏光照明装置及びこの偏光照明装置から出射された偏光光を画像変調素子により変調して映像をスクリーンに拡大表示する投射型液晶表示装置に関するものである。
【背景技術】
【０００２】
液晶等の画像変調素子においては入射する光束の偏光方向を回転させることにより画像情報の変調を行なっている。このため、画像変調素子に入射する光束の偏光方向を揃える必要がある。光源から発せられる偏光方向がランダムな光を画像変調素子に効率良く導くために、光束をＳ偏光光とＰ偏光光とに分離し、一方あるいは両方の偏光光を回転させて同一方向の偏光光に揃える偏光変換システムが実用化されている。
【０００３】
また、光源から放射する光は強度分布を持っているため、楕円偏光反射鏡あるいは放物面反射鏡を通じて画像変調素子を照射する場合も照度分布を持つ。この照度分布を均一にするために、光源による照射領域を微小区間に分割し、各微小区間が画像変調素子を照射するインテグレータ技術が実用化されている。
【０００４】
上記２つの機能を兼ね備えた光学系として、例えば特許文献１がある。図６は当該公報に開示された偏光照明装置の概略図である。この偏光照明装置は、偏光方向がランダムな光を出射する、単楕円面反射鏡１１０２を備えた光源部１００１と、矩形状の外形を有する複数の矩形集光レンズから構成され、前記光源部１から出射される光を集光して複数の２次光源像を形成するための第１のレンズ板１００２と、前記複数の２次光源像が形成される位置の近傍に配置され、該複数の２次光源像を重ね合わせるとともに、前記偏光方向がランダムな光を偏光方向の異なる２つの直線偏光に分離し、かつ、一方の直線偏光の偏光方向を他方の直線偏光の偏光方向に揃えて合成する第２のレンズ板１００４と、前記光源部１００１の単楕円反射鏡１１０２から出射する光束を略平行光線化すべく、前記単楕円面反射鏡１１０２の開口部と前記第１のレンズ板１００２との間に凹レンズ１００９を設けている。
【０００５】
そして、前記第２のレンズ板１００４は、前記２次光源像の各々に対応する複数の矩形状集光レンズ１１０５を配列した集光レンズアレイ１００３と、スリット状反射板１００６と、１／４波長板１１０３と、偏光分離器である偏光分離プリズムアレイ１００７と、出射レンズ１００８とが、光の入射方向からこの順に配置されている。ここで、偏光分離器の基本構成単位の横幅Ｐ１は、集光レンズアレイ１００３の各集光レンズ１１０５の横幅Ｓ１と等しい。スリット状反射板１００６のスリットは開口部であって、集光レンズアレイ１００３を構成する縦列の集光レンズに対応するように規則的に配列されている。スリット状反射板１００６におけるスリット間の板部の出射面側部分に１／４波長板１１０３がそれぞれ配置されている。
【特許文献１】特開平１１−２４９０７３号公報
【発明の開示】
【発明が解決しようとする課題】
【０００６】
第１の問題点として、前記偏光分離器は、図７に示すように三角柱状の偏光分離プリズムを複数個並列配置して作製していることにより、それぞれの偏光分離プリズムの製造公差があり、それらを並列配置した場合に、該プリズム単品の製造誤差がプリズムの個数分だけ加算されていくために、偏光分離器の基本構成単位としてのピッチ幅の精度が低くなる傾向にある。そのため、１／４波長板もそのピッチに合うよう調整して配置しなければならなくなり、短冊状の１／４波長板を一枚づつ偏光分離器のピッチ幅に沿って貼り付ける必要があり、コストアップの大きな原因となっている。従来の投射型表示装置のコストに関して、偏光分離部がコストアップの大きな原因となっていることが多く、この例でもコスト的には不利な構成となっている。また、偏光分離器のピッチ精度が低いために、第２のレンズアレイを透過して集光する光をスリット状反射板でけってしまうことがあり、光利用効率が若干下がってしまうという問題点もある。
【０００７】
本発明の目的は、低コストで、高効率高均一な偏光照明装置及びそれを用いた偏光照明装置を提案することである。
【課題を解決するための手段】
【０００８】
本発明は、偏光方向がランダムな光を出射する光源部と、矩形状の外形を有する複数の矩形集光レンズから構成され、前記光源部から出射される光を複数の光束に分割し、集光して複数の２次光源像を形成するための第１のレンズアレイと、前記複数の２次光源像が形成される位置の近傍に配置され、該複数の２次光源像を形成するように該複数の光束を集光する第２のレンズアレイと、該複数の２次光源像を一つの照明領域に重ね合わせるとともに、前記偏光方向がランダムな光を偏光方向の異なる２つの直線に分離し、かつ、一方の直線偏光の偏光方向を他方の直線偏光の偏光方向に揃えて合成する第３のレンズ板とを有することを特徴とする。
【０００９】
そして、前記第３のレンズ板は、前記第２のレンズアレイの各集光レンズに対応するように配列された複数のスリットを有する反射板と、この反射板におけるスリット間の反射部を覆う１／４波長板と、光束を異なる２つの直線偏光に分離する偏光分離透明体と、該偏光分離透明体と接合して形成する出射レンズとをこの順に光の入射側から配置した構成であり、前記偏光分離透明体は、片側が平面で、もう一方が角度９０度の屋根型形状が前記平面と平行に連続して複数個配列して形成され、その表面部には偏光方向がランダムな光をＰ偏光光とＳ偏光光の２種の直線偏光に分離する偏光分離膜が形成されており、前記出射レンズは、片側が正の屈折力を有するレンズ面で、もう一方が前記偏光分離透明体の屋根型形状と同一形状の角度９０度の屋根型形状が連続して複数個並列に形成されたレンズであり、前記偏光分離透明体と前記出射レンズは、それぞれの屋根型形状が互いに向かい合って噛み合うように接合して構成されていることを特徴とする。
【００１０】
また、別の構成として、第１、２のレンズアレイは上記と同様とし、第３のレンズ板を、前記第２のレンズアレイの各集光レンズに対応するように配列された複数のスリットを有する反射板と、この反射板におけるスリット間の反射部を覆う１／４波長板と、光束を異なる２つの直線偏光に分離する偏光分離透明体と、該偏光分離透明体と離れた位置に配置される出射レンズとを、この順に光の入射側から配置した構成とすることを特徴とする。ここで、前記偏光分離透明体は、両方の面が角度９０度の屋根型形状が複数個並列に配置された同一形状であり、それぞれの屋根型形状の凹凸は入射側の面と射出側の面で対応して位置し、入射側の屋根型形状の表面部には偏光方向がランダムな光をＰ偏光光とＳ偏光光の２種の直線偏光に分離する偏光分離膜が形成されており、前記出射レンズは、正の屈折力を有することを特徴とする。
【００１１】
ここで、前記偏光分離透明体は、厚さをｔ、屈折率をｎ、屋根型形状のピッチ幅をＰとするとき、次式
2005084398.tif 000003
を満足することにより、偏光分離透明体内を透過するときに全反射を繰り返して平行光として出射しない成分をできるだけ少なくし、損失を小さくするようにしている。
【００１２】
また、上記２つの構成において、偏光分離膜の替わりに、偏光分離フィルムを貼り付けた構成としても良い。
【００１３】
本発明の作用を述べる。前記偏光分離透明体を成型で作製することにより、偏光分離透明体のピッチ幅が正確になるため、１／４波長板を短冊状に切って偏光分離透明体のピッチ幅に沿って貼り合せる必要がなくなり、前記反射板と一体化させて作製すればよくなるため大幅なコストダウンが可能となる。また、ピッチが正確になることにより、前記第２のレンズアレイから出射される光束が前記反射板によって遮られることがほとんどなくなるため、光利用効率が高くなる。
【００１４】
なお、さらに詳細に説明すれば、本発明は下記の構成によって前記課題を解決できた。
【００１５】
（１）偏光方向がランダムな光を出射する、反射鏡を備えた光源部と、矩形状の外形を有する複数の矩形集光レンズから構成され、前記光源部から出射される光を複数の光束に分割し、集光して複数の２次光源像を形成するための第１のレンズアレイと、前記複数の２次光源像が形成される位置の近傍に配置され、前記複数の光束をそれぞれ集光する第２のレンズアレイと、前記複数の２次光源像を一つの照明領域に重ね合わせるとともに、前記偏光方向がランダムな光を偏光方向の異なる２つの直線偏光に分離し、かつ、一方の直線偏光の偏光方向を他方の直線偏光の偏光方向に揃えて合成する第３のレンズ板とを有し、前記第２のレンズアレイは、前記複数の第２次光源像の各々に対応する複数の矩形状集光レンズを配列した集光レンズアレイであり、前記第３のレンズ板は、前記第２のレンズアレイの各集光レンズに対応するように配列された複数のスリットを有する反射板と、この反射板におけるスリット間の反射部を覆う１／４波長板と、光束を異なる２つの直線偏光に分離する偏光分離透明体と、該偏光分離透明体と接合して形成する出射レンズとをこの順に光の入射側から配置し、前記偏光分離透明体は、片側が平面で、もう一方が角度９０度の屋根型形状が前記平面と平行に連続して複数個並列に配置して形成され、前記出射レンズは、片側が正の屈折力を有するレンズ面で、もう一方が前記偏光分離透明体の屋根型形状と同一形状の角度９０度の屋根型形状が連続して複数個並列に配置して形成されたレンズであり、前記偏光分離透明体の屋根型形状の表面部と前記出射レンズの屋根型形状の表面部のいずれか一方には、光束を異なる２つの直線偏光に分離する偏光分離手段としての光学部材が形成されており、前記偏光分離透明体と前記出射レンズはそれぞれの屋根型形状が互いに向かい合って噛み合うように接合して構成されていることを特徴とする偏光照明装置。
【００１６】
（２）偏光方向がランダムな光を出射する、反射鏡を備えた光源部と、矩形状の外形を有する複数の矩形集光レンズから構成され、前記光源部から出射される光を複数の光束に分割し、集光して複数の２次光源像を形成するための第１のレンズアレイと、前記複数の２次光源像が形成される位置の近傍に配置され、前記複数の光束をそれぞれ集光する第２のレンズアレイと、前記複数の２次光源像を一つの照明領域に重ね合わせるとともに、前記偏光方向がランダムな光を偏光方向の異なる２つの直線偏光に分離し、かつ、一方の直線偏光の偏光方向を他方の直線偏光の偏光方向に揃えて合成する第３のレンズ板とを有し、前記第２のレンズアレイは、前記複数の第２次光源像の各々に対応する複数の矩形状集光レンズを配列した集光レンズアレイであり、前記第３のレンズ板は、前記第２のレンズアレイの各集光レンズに対応するように配列された複数のスリットを有する反射板と、この反射板におけるスリット間の反射部を覆う１／４波長板と、光束を異なる２つの直線偏光に分離する偏光分離透明体と、該偏光分離透明体と離れた位置に配置される出射レンズとを、この順に光の入射側から配置し、前記偏光分離透明体は、両方の面が角度９０度の屋根型形状が連続的に複数個並列に配置して形成された同一形状で、互いに平行であり、入射側の屋根型形状の表面部には、光束を異なる２つの直線偏光に分離する偏光分離手段としての光学部材が形成されており、前記出射レンズは正の屈折力を有していることを特徴とする偏光照明装置。
【００１７】
（３）前記偏光分離透明体は、厚さをｔ、屈折率をｎ、屋根型形状のピッチ幅をＰとするとき、
2005084398.tif 000004
を満足することを特徴とする前記（２）に記載の偏光照明装置。
【００１８】
（４）前記偏光分離手段としての光学部材は、偏光分離膜であることを特徴とする前記（１）ないし（３）のいずれかに記載の偏光照明装置。
【００１９】
（５）前記偏光分離手段としての光学部材は、偏光分離フィルムであることを特徴とする前記（１）ないし（３）のいずれかに記載の偏光照明装置。
【発明の効果】
【００２０】
第１の効果は、低コストで光利用効率の高い投射型表示装置を提供できる。その理由は、偏光分離透明体を成型で作製することにより、従来の研削で作る偏光分離素子よりもコストを大幅に低く抑えることができるためであり、また、成型で作製することにより偏光分離透明体の基本構成単位のピッチを正確にすることができるので、光利用効率を高めることができるためである。
【発明を実施するための最良の形態】
【００２１】
次に、本発明の実施の形態について図面を参照して詳細に説明する。
【実施例】
【００２２】
図１は本発明の第一実施例の構成を示す図である。図１において、１は光源部、２は第１のレンズアレイ、３は第２のレンズアレイ、４は第３のレンズ板、５は照明領域である。また第３のレンズ板４について、６はスリット状反射板、７は偏光分離透明体、８は出射レンズである。
【００２３】
光源部１は発光部１０１と反射鏡１０２で構成され、発光部１０１から発せられた光は反射鏡１０２にて反射され平行光となり、第１のレンズアレイ２に入射する。第１のレンズアレイ２に入射された光は第１のレンズアレイ２を構成する複数の矩形状の集光レンズにより複数の光束に分割され、第２のレンズアレイ３の近傍に２次光源像を作る。そして、第２のレンズアレイ３及び第３のレンズ板４を介して第１のレンズアレイ２の矩形状の各集光レンズの像を照射領域５に転写する。
【００２４】
このとき、第２のレンズアレイ３を透過した光は、偏光分離透明体７に入射し、図２に示すように、Ｐ偏光光は偏光分離膜１０４を透過し、Ｓ偏光光は偏光分離膜１０４で反射し、偏光分離透明体７の入射側に設けた１／４波長板１０３に入射する。ここで、１／４波長板の偏光面回転作用により楕円偏光に変換されスリット状の反射板６で反射される。この反射された楕円偏光光は、再度１／４波長板１０３に入射し、偏光面回転作用により楕円偏光からＰ偏光光に変換され、偏光分離膜１０４をそのまま透過する。
【００２５】
偏光分離透明体７の基本構成単位の横幅Ｐは、第２のレンズアレイ３の各集光レンズ１０５の横幅Ｓと等しい。スリット状反射板６のスリットは開口部であって、第２のレンズアレイ３を構成する縦列の集光レンズ１０５に対応するように規則的に配列されている。反射板６におけるスリット間の板部の出射面側部分に１／４波長板１０３がそれぞれ配置されている。
【００２６】
そして、偏光分離透明体７の各基本構成単位は、スリット状反射板６の隣り合う反射板及びスリット部の組に対応するように配置されている。また、偏光分離透明体７の基本構成単位の横幅の半分の幅Ｘｐと、各１／４波長板１０３の横幅Ｘ１と、スリット状反射板６の各スリット幅Ｘ２とは等しい。
【００２７】
図２（ｂ）に、図２（ａ）の点線内の部分の各構成要素を通過するときの光の様子を模式的に拡大して示している。第２のレンズアレイ３から出射した偏光方向のランダムな光は、反射板６のスリット部を通過し１／４波長板１０３同士の隙間を通過した後、偏光分離透明体７に入射し、偏光分離膜１０４により偏光方向が異なるＰ偏光光とＳ偏光光との２種の直線偏光光に分離される。すなわち、Ｐ偏光光は進行方向を変えずに偏光分離透明体７をそのまま通過する。一方、Ｓ偏光光は偏光分離透明体７の偏光分離膜１０４で反射され、その後に前記偏光分離膜１０４で反射した面と屋根型形状の向かいの面の偏光分離膜１０４で反射され、１／４波長板１０３に入射する。
【００２８】
ここで、Ｓ偏光光はこの１／４波長板１０３により偏光面回転作用により楕円偏光に変換され、スリット状の反射板６で反射される。この反射された楕円偏光光は再度１／４波長板１０３へ入射し、偏光面回転作用により楕円偏光からＰ偏光光に変換され、偏光分離透明体７をそのまま通過する。最終的には、この２つの光路においてＰ偏光光がほぼ平行な角度で偏光分離透明体７を出射する。
【００２９】
こうして、Ｐ偏光に揃えられ偏光分離透明体７を出射した光は、偏光分離透明体７と接合された出射レンズ８に入射し、該レンズ８により照明領域５へと導かれ、照明領域５上に重なって結像される。光源部１からの偏光方向のランダムな光は、一つの直線偏光光に変換されて、ほとんどの全ての光が照明領域５へと達する。このために、照明領域５では、ほとんど一つの偏光光で均一に照明され、光損失がほとんどなく、光利用効率が極めて高い。
【００３０】
図３は本発明の第二実施例の構成を示す図である。第３のレンズ板４以外の構成は前記第一実施例の構成と同一である。第３のレンズ板４について、６はスリット状反射板、７は偏光分離透明体、８は出射レンズである。
【００３１】
光源部１から発せられた光は、前記第一実施例と同様にして第１、第２のレンズアレイを透過する。第２のレンズアレイ３を透過した光は、図４に示すように、Ｐ偏光光は偏光分離膜１０４を透過し、偏光分離透明体７に入射して屈折し、偏光分離透明体７の出射側の面から再度屈折して出射する。この偏光分離透明体７から出射するＰ偏光の直線偏光光は、偏光分離透明体７の入射側と出射側の屋根型形状が平行に形成されているために、入射時の角度と同じ角度で出射する。一方、Ｓ偏光光は偏光分離膜１０４で反射し、その後に前記偏光分離膜１０４で反射した面と屋根型形状の向かいの面の偏光分離膜１０４で反射され、１／４波長板１０３に入射する。ここで、１／４波長板１０３の偏光面回転作用により楕円偏光に変換されスリット状の反射板６で反射される。この反射された楕円偏光光は、再度１／４波長板１０３に入射し、偏光面回転作用により楕円偏光からＰ偏光光に変換され、偏光分離膜１０４をそのまま透過し、上記と同様に、入射時の角度と同じ角度で偏光分離透明体７を出射する。
【００３２】
ここで、偏光分離透明体７は、その厚さｔ、屈折率ｎ、屋根型形状のピッチ幅Ｐについて次式を満足するようにしている。
2005084398.tif 000005
【００３３】
上式（１）の説明をする。入射側から入る光のうち多くの成分は偏光分離透明体７を上記のようにしてＰ偏光光の直線偏光に揃えられて出射するが、図５の斜線部に示す光の成分は、Ｐ偏光光は偏光分離透明体７の出射側の面で全反射されて図中１０６の方向に導かれる。また、Ｓ偏光光は偏光分離透明体７の偏光分離膜１０４にて２回反射したあと、１／４波長板１０３に入射し、楕円偏光となり、スリット状反射板６で反射されて再び１／４波長板１０３を透過し、Ｐ偏光光の直線偏光となって偏光分離透明体７に入射する。偏光分離透明体７に入射した光は、偏光分離透明体７の出射側の面で全反射して図中１０７の方向に導かれる。したがって、図５の斜線部で示される領域の光束は、偏光分離透明体７を平行光として出射しないため、照明領域５に到達しない不要光となる。この斜線部の光束の幅ｑは、屈折率ｎと厚さｔを用いて、簡単な計算により、
【００３４】
2005084398.tif 000006
【００３５】
と表される。偏光分離透明体７のピッチ幅Ｐに入射する光束に対する、斜線部の幅ｑ内の損失光束の比率ｑ／Ｐが大きいとき、損失光の割合が大きいため光利用効率が低くなってしまう。したがって、ｑ／Ｐがある数値よりも小さくなるように偏光分離透明体７を構成する必要があり、屈折率ｎが１．５から１．８であること、また、偏光分離透明体７の強度や作製上の精度の観点から１ｍｍ以上としたほうが良いことなどを考慮して、ｑ／Ｐは０．３以下となるようにしたほうが良い。したがって、
【００３６】
2005084398.tif 000007
という、式（１）が導かれる。
【００３７】
さらに、上記２つの実施例では、光束をＰ偏光光とＳ偏光光の２つの直線偏光に分離するのに偏光分離膜を用いているが、その替わりに偏光分離フィルムを貼り付けた構成としても良い。偏光分離膜の場合は、角度９０度の屋根型形状の表面に均等にムラなく蒸着するのが若干困難なことがあるので、フィルム状の偏光分離フィルムを貼り付けたほうがムラのないという観点では良い。一方コスト的には、屋根型形状の斜面に沿ってフィルムを一枚づつ貼り付けるほうが不利である。
【００３８】
［数値実施例］
本発明の第二の実施例の構成について数値実施例を示す。ここで、Ｐは偏光分離透明体７の屋根型形状のピッチ幅、ｔは偏光分離透明体７の厚さであり、ｎは偏光分離透明体７の屈折率である。
【００３９】
2005084398.tif 000008
【図面の簡単な説明】
【００４０】
【図１】本発明の第一の実施形態である偏光照明装置の要部を平面的に見た概略構成図である。
【図２】本発明の第一の実施形態である偏光照明装置の偏光変換部の詳細図（ａ）と、該偏光変換部を光が通過するときの様子を示す図（ｂ）である。
【図３】本発明の第二の実施形態である偏光照明装置の要部を平面的に見た概略構成図である。
【図４】本発明の第二の実施形態である偏光照明装置の偏光変換部の詳細図（ａ）と、該偏光変換部を光が通過するときの様子を示す図（ｂ）である。
【図５】本発明の第二の実施形態である偏光照明装置の偏光変換分離透明体を通過する光のうち、全反射して不要光となる光の光路図である。
【図６】従来の偏光照明装置の例を示す図である。
【図７】従来の偏光照明装置の偏光変換部の詳細図である。
【図８】従来の偏光照明装置の偏光変換部を光が通過するときの様子を示す図である。
【符号の説明】
【００４１】
１  光源部
２  第１のレンズアレイ
３  第２のレンズアレイ
４  第３のレンズ板
５  照明領域
６  スリット状反射板
７  偏光分離透明体
８  出射レンズ
９  凹レンズ
１０１  発光部
１０２  反射鏡
１０３  １／４波長板
１０４  偏光分離膜
１０５  第２のレンズアレイを構成する矩形状の外径の集光レンズ
１０６  偏光分離透明体に入射した光の成分のうち、偏光分離透明体内部で全反射する光の進行方向の一つ
１０７  偏光分離透明体に入射した光の成分のうち、偏光分離透明体内部で全反射する光の進行方向の一つ
【図１】
2005084398.tif 000010
【図２】
2005084398.tif 000011
【図３】
2005084398.tif 000012
【図４】
2005084398.tif 000013
【図５】
2005084398.tif 000014
【図６】
2005084398.tif 000015
【図７】
2005084398.tif 000016
【図８】
2005084398.tif 000017